(57)【要約】【課題】入力部と制御部との間でアナログ信号を中継する信号ケーブルの健全性を常時監視できる、ディジタル保護制御装置を提供する。【解決手段】入力部から、アナログ信号とともに信号ケーブルの健全性を表す接続状態信号を制御部へ伝送し、制御部は、アナログ信号の入力特性に対応した補正パラメータを算出するために、調整作業時に外部から供給される基準信号の入力と、補正パラメータ算出完了後つまり実稼動時における前記接続状態信号の入力とを、同一のＡ／Ｄ変換器を用いて行う。これにより、特別な回路を付加することなしに、信号ケーブルの健全性を常時監視できるようにする。【選択図】図１
2011130632.tif 000002
【特許請求の範囲】
【請求項１】
電力系統の電気量を測定する入力変成器からアナログの出力信号を入力し、信号レベルを変換したアナログ信号を出力する回路を複数チャンネル有する入力部と、
前記入力部から出力される前記アナログ信号をディジタル信号に変換して入力し、このディジタル信号に基づいて所定の保護制御演算を実行して電力系統の保護制御を行う制御部とが、
前記アナログ信号を伝送する着脱可能な信号ケーブルによって接続されたディジタル保護制御装置であって、
前記信号ケーブルは、前記アナログ信号を伝送する信号線と前記入力部が出力する接続状態信号を伝送する信号線と、前記制御部が備えるコネクタに嵌合するコネクタとを備え、
前記制御部は、
調整作業時に、基準信号供給部から前記入力部を介さずに供給される基準信号の入力と、前記接続状態信号の入力とを、前記アナログ信号の入力に用いるのと同一のＡ／Ｄ変換器を用いて行い、
調整作業時において、前記入力部を介さずに供給される前記基準信号供給部からの基準信号と、前記入力部及び前記信号ケーブルを介して前記アナログ信号として入力される前記基準信号供給部からの基準信号とを比較することによって、その後に入力される前記アナログ信号を補正するための補正パラメータを算出し、
前記補正パラメータの算出完了後においては、前記接続状態信号を入力して前記信号ケーブルの健全性を監視する
ことを特徴とするディジタル保護制御装置。
【請求項２】
前記基準信号と前記接続状態信号とが、前記制御部が備える前記コネクタの同一の入力端子から入力される
ことを特徴とする請求項１に記載のディジタル保護制御装置。
【請求項３】
前記入力部が備える前記接続状態信号の出力端子と前記入力端子とを接続する伝送経路上に、前記基準信号を入力するための基準信号入力端子と入力元切換手段とを備え、
前記入力元切換手段は、前記基準信号入力端子に入力される前記基準信号と、前記出力端子から供給される前記接続状態信号とのいずれかを切り換えて、前記入力端子へ中継する
ことを特徴とする請求項２に記載のディジタル保護制御装置。
【請求項４】
前記基準信号入力端子と前記入力元切換手段とを、前記信号ケーブルが備える前記コネクタと前記制御部が備える前記コネクタとの間に着脱可能に装着される、変換コネクタに備える
ことを特徴とする請求項３に記載のディジタル保護制御装置。
【請求項５】
前記基準信号入力端子と前記入力元切換手段とを、前記信号ケーブルに備える
ことを特徴とする請求項３に記載のディジタル保護制御装置。
【請求項６】
前記入力部は、
前記基準信号を入力するための基準信号入力端子と入力元切換手段とを備え、
前記入力元切換手段は、前記基準信号入力端子に入力される前記基準信号と、自身が出力する前記接続状態信号とのいずれかを切り換えて、前記信号ケーブルによって前記入力端子に接続される出力端子に出力する
ことを特徴とする請求項２に記載のディジタル保護制御装置。
【請求項７】
前記制御部は、
前記基準信号を入力するための基準信号入力端子と、前記接続状態信号を入力するための接続状態信号入力端子と、前記基準信号と前記接続状態信号とのいずれかを内部回路に中継する入力元切換手段とを備える
ことを特徴とする請求項１に記載のディジタル保護制御装置。
【請求項８】
前記接続状態信号は、直流もしくは交流の電圧信号もしくは電流信号、クロック信号、または、所定のプロトコルにしたがった電気通信信号もしくは光通信信号である
ことを特徴とする請求項１から７のいずれか一項に記載のディジタル保護制御装置。
【請求項９】
電力系統の電気量を測定する入力変成器からアナログの出力信号を入力し、信号レベルを変換したアナログ信号を出力する回路を複数チャンネル有する入力部と、
前記入力部から出力される前記アナログ信号をディジタル信号に変換して入力し、このディジタル信号に基づいて所定の保護制御演算を実行して電力系統の保護制御を行う制御部とが、
前記アナログ信号を伝送する着脱可能な信号ケーブルによって接続されたディジタル保護制御装置における前記信号ケーブルの健全性を監視する健全性監視方法であって、
前記信号ケーブルは、前記アナログ信号を伝送する信号線と前記入力部が出力する接続状態信号を伝送する信号線と、前記制御部が備えるコネクタに嵌合するコネクタとを備えており、
前記制御部は、
調整作業時に、基準信号供給部から前記入力部を介さずに供給される基準信号の入力と、前記接続状態信号の入力とを、前記アナログ信号の入力に用いるのと同一のＡ／Ｄ変換器を用いて行い、
前記制御部が、前記入力部を介さずに供給される前記基準信号供給部からの基準信号と、前記入力部及び前記信号ケーブルを介して前記アナログ信号として入力される前記基準信号供給部からの基準信号とを比較することによって、その後に入力される前記アナログ信号を補正するための補正パラメータを算出する第１のステップと、
前記制御部が、前記接続状態信号を入力して前記信号ケーブルの健全性を監視する第２のステップと
を備えることを特徴とする健全性監視方法。
【請求項１０】
前記接続状態信号は、直流もしくは交流の電圧信号もしくは電流信号、クロック信号、または、所定のプロトコルにしたがった電気通信信号もしくは光通信信号である
ことを特徴とする請求項９に記載の健全性監視方法。
【発明の詳細な説明】
【技術分野】
【０００１】
本発明は、ディジタル保護制御装置に係り、特に、電力系統の電気量を測定する入力変成器からの出力を装置内で中継する信号ケーブルの健全性を監視するのに好適なディジタル保護制御装置に関する。
【背景技術】
【０００２】
電力系統の保護制御に用いられるディジタル保護制御装置においては、電力系統の電圧や電流を測定する入力変成器からの出力を取り込むための入力部と、保護制御演算を実行して電力系統の保護制御を行う制御部とは、それぞれ別のユニットとして構成され、その間を接続する信号ケーブルを介して、測定結果のアナログ信号の中継が行われる。
入力変成器を介して入力される電力系統の電気量を表すアナログ信号は、定常時の信号の様相が定まらないため、入力信号の有無だけでは信号ケーブルの健全性を監視することができない。それ故、従来のディジタル保護制御装置においては、装置内でアナログ信号を中継する信号ケーブルの健全性を常時監視するようにはなっていなかった。その結果、信号ケーブルの脱落や断線などの異常は定期点検時でなければ発見できず、系統事故が発生したときに信号ケーブルの異常が原因で保護制御動作が正しく機能しない可能性があることが懸念されていた。
【０００３】
信号ケーブルの健全性を監視するための従来技術として、特許文献１には、信号ケーブルに接続状態監視用信号（例えば、基準電圧信号）を伝送するための信号線を付加し、接続される２つのユニットのうちの一方から出力する接続状態監視用信号を、もう片方のユニットで検出する技術が開示されている。
また、特許文献２には、ディジタル保護制御装置の入力部から出力されるアナログ信号に所定の点検用信号を重畳させるための回路を付加し、重畳された点検用信号を制御部にてディジタル処理によって抽出して、装置内のアナログ入力系統の異常を検出する技術が開示されている。
【先行技術文献】
【特許文献】
【０００４】
【特許文献１】特開平４−１１６４７３号公報
【特許文献２】特開平６−１０５４４５号公報
【発明の概要】
【発明が解決しようとする課題】
【０００５】
しかしながら、特許文献１に開示されている技術では、制御部に接続状態監視用信号を検出するための専用の回路を付加する必要があるという不都合があった。また、特許文献２に開示されている技術では、入力部に点検用信号を重畳させるための専用の回路を付加する必要があり、入力部の回路が複雑となるという不都合があった。
【０００６】
本発明は、前記のような不都合を解消するためになされたものであり、入力部と制御部との間でアナログ信号を中継する信号ケーブルの健全性を常時監視できる、ディジタル保護制御装置を提供することを課題とする。
【課題を解決するための手段】
【０００７】
前記の課題を解決するための本発明は、電力系統の電気量を測定する入力変成器からアナログの出力信号を入力し、信号レベルを変換したアナログ信号を出力する回路を複数チャンネル有する入力部と、前記入力部から出力される前記アナログ信号をディジタル信号に変換して入力し、このディジタル信号に基づいて所定の保護制御演算を実行して電力系統の保護制御を行う制御部とが、前記アナログ信号を伝送する着脱可能な信号ケーブルによって接続されたディジタル保護制御装置において、前記信号ケーブルは、前記アナログ信号を伝送する信号線と、前記入力部が出力する接続状態信号を伝送する信号線と、前記制御部が備えるコネクタに嵌合するコネクタとを備え、前記制御部は、調整作業時に、基準信号供給部から前記入力部を介さずに供給される基準信号の入力と、前記接続状態信号の入力とを、前記アナログ信号の入力に用いるのと同一のＡ／Ｄ（Analog／Digital）変換器を用いて行い、
調整作業時において、前記入力部を介さずに供給される前記基準信号供給部からの基準信号と、前記入力部及び前記信号ケーブルを介して前記アナログ信号として入力される前記基準信号供給部からの基準信号とを比較することによって、その後に入力される前記アナログ信号を補正するための補正パラメータを算出し、前記補正パラメータの算出完了後においては、前記接続状態信号を入力して前記信号ケーブルの健全性を監視することを特徴とする。
【発明の効果】
【０００８】
本発明によれば、入力部と制御部との間でアナログ信号を中継する信号ケーブルの健全性を常時監視できる、ディジタル保護制御装置を提供することができる。
【図面の簡単な説明】
【０００９】
【図１】第１実施形態に係る主制御部の構成と信号の流れを示す機能ブロック図である。
【図２】第１実施形態に係る入力変換部の構成と信号の流れを示す機能ブロック図である。
【図３】入力特性測定時の接続構成と信号の流れを示す説明図である。
【図４】入力特性測定完了後の接続構成と信号の流れを示す説明図である。
【図５】第２実施形態に係る入力変換部の構成と信号の流れを示す機能ブロック図である。
【図６】第３実施形態に係る変換コネクタによる主制御部への接続についての説明図である。
【図７】第４実施形態に係る主制御部の構成と信号の流れを示す機能ブロック図である。
【図８】ディジタル保護制御装置の動作を示すフローチャートである。
【発明を実施するための形態】
【００１０】
以下、本発明を実施するための形態につき、図面を参照して詳細に説明する。
【００１１】
＜第１実施形態＞
始めに、図１〜図４を参照して、本発明の第１実施形態に係るディジタル保護制御装置について説明する。なお、以下の図においてはが、いずれも保護制御信号の出力系統についての記載を省いている。
【００１２】
図４は、入力特性の測定が完了して装置が実稼動に入ったときの接続構成と信号の流れを示す説明図である。図４に示すように、ディジタル保護制御装置Ｓは、保護制御の対象となる電力系統の電圧や電流などの電気量を測定する入力変成器である主変成器１から出力され、当該電力系統の電気量を示すアナログ信号を、ディジタル信号に変換して取り込み、プログラム制御によって系統事故の発生などを検出し、不図示の保護制御リレーや遮断機などを作動させ、当該電力系統の保護制御を行う。
【００１３】
このとき、主変成器１から出力される複数チャンネルのアナログ信号は、入力変換部２において絶縁トランス２２によって信号レベルが変換され、信号ケーブル３を介して主制御部４に伝送されたのち、フィルタ４２、マルチプレクサ４３を経由してＡ／Ｄ変換器４４に入力されて、ディジタル信号への変換が行われる。そのため、Ａ／Ｄ変換器４４に入力されるアナログ信号には、主変成器１からＡ／Ｄ変換器４４に至るまでの各チャンネルの伝送経路の特性によって、オフセット誤差、ゲイン誤差、位相誤差が発生する。そこで、これらの誤差を補正するために、装置の実稼動に先立って、基準信号を用いてアナログ信号の入力特性を測定し補正パラメータを算出する、調整作業が行われる。
【００１４】
図３は、装置の実稼動に先立ってアナログ信号の入力特性を測定するときの接続構成と信号の流れを示す説明図である。図３に示すように、この入力特性の測定時には、本発明の基準信号供給部としての高精度発振器１１によって高精度の基準信号を発生させ、それを精密アンプ１２で増幅して主変成器１に供給するとともに、主制御部４にも直接供給することによって、主変成器１からの伝送経路を経由した信号と元の基準信号との比較が、主制御部４にてディジタル処理で実行される。
【００１５】
そして、従来、この基準信号を主制御部４に直接供給するための入力端子４１ｂは、入力特性の測定完了後においては、未使用となっていた。本実施形態は、図４に示すように、入力特性の測定完了後つまり装置の実稼動時に、この入力端子４１ｂにケーブル接続の健全性を示す信号を供給することにより、主制御部４の回路構成を変更することなしに信号ケーブルの健全性を監視できるようにするものである。
【００１６】
次に、図２を参照して、本発明の入力部としての入力変換部２の構成と信号の流れを説明する。図２に示すように、入力変換部２は、信号発生器２１と、ｎ個の絶縁トランス２２と、コネクタ２３とを備えて構成される。主変成器１から出力されるｎ個のアナログの出力信号は、それぞれ対応する絶縁トランス２２によって電気的な絶縁と信号レベルの変換が行われ、コネクタ２３の各出力端子２３ａにアナログ信号１〜ｎとして出力される。
【００１７】
信号発生器２１は、この入力変換部２と主制御部４とを接続する信号ケーブル３が健全であることを表す信号である接続状態信号を供給し、この接続状態信号は、コネクタ２３の出力端子２３ｂに出力される。接続状態信号には、主制御部４によって検出可能なものであれば、直流もしくは交流の電圧信号もしくは電流信号、クロック信号、または、所定のプロトコルにしたがった電気通信信号もしくは光通信信号のいずれを利用してもよい。
【００１８】
コネクタ２３の出力端子２３ａ及び２３ｂに出力される各信号は、コネクタ２３に嵌合する不図示のコネクタを端部に有する多芯の信号ケーブル３によって、主制御部４へ伝送される。なお、図３に示すように、入力特性測定時には、接続状態信号の伝送は不要であるため、当該信号の伝送線を省いた入力特性測定用の信号ケーブル３ａを用いるとよい。
【００１９】
次に、図１を参照して、本発明の制御部としての主制御部４の構成と信号の流れを説明する。図１に示すように、主制御部４は、コネクタ４１と、ｎ個のフィルタ４２と、マルチプレクサ４３と、Ａ／Ｄ変換器４４と、ＣＰＵ（Central Processing Unit）とを備えて構成される。
【００２０】
コネクタ４１には、入力変換部２から伝送されるｎ個のアナログ信号１〜ｎを入力するためのｎ個の入力端子４１ａと、入力特性測定時において高精度発振器１１から供給される基準信号を入力し、入力特性測定完了後（補正パラメータ算出完了後）においては入力変換部から伝送される接続状態信号を入力するための入力端子４１ｂとが備えられる。
【００２１】
図３に示すように、入力特性測定時には、各入力端子４１ａには、精密アンプ１２を介して高精度発振器１１から主変成器１に供給され基準信号を増幅した信号に対応する、測定結果のアナログ信号が、入力特性測定用の信号ケーブル３ａによって、入力変換部２から伝送される。また、図４に示すように、入力特性測定完了後（補正パラメータ算出完了後）つまり装置の実稼動時には、各入力端子４１ａには、主変成器１によって測定された電力系統の電気量を表すアナログ信号が、接続状態信号とともに信号ケーブル３によって入力変換部２から伝送される。この信号ケーブル３は、端部にコネクタ４１に嵌合する不図示のコネクタを有しており、それによって入力変換部２と主制御部４との間の接続状態信号とアナログ信号１〜ｎとの伝送経路を同時に確立させることができる。
【００２２】
入力端子４１ａに入力された各アナログ信号１〜ｎは、対応するフィルタ４２に伝送され、特定の周波数成分によるノイズの除去とサンプリングによる折返し誤差の防止のアナログフィルタ処理が行われたのち、マルチプレクサ４３に伝送される。また、入力端子４１ｂに入力された基準信号または接続状態信号は、直接マルチプレクサ４３に伝送される。
【００２３】
マルチプレクサ４３は、入力端子４１ｂ及びフィルタ４２から伝送される複数の信号を所定の周期で順次選択した時分割多重信号を生成して、Ａ／Ｄ変換器４４に伝送する。Ａ／Ｄ変換器４４は、マルチプレクサ４３から伝送される時分割多重信号を所定の周波数でサンプリングし、アナログ信号をディジタル信号に変換し、変換結果のディジタル信号をＣＰＵ４５に伝送する。そして、ＣＰＵ４５は、所定のプログラムを実行することによって、コネクタ４１の各入力端子４１ａ，４１ｂから入力された各信号の値を所定の周波数でサンプリングしたディジタル値のシーケンスとして入力する。
【００２４】
その後、ＣＰＵ４５は、入力特性測定時には、補正パラメータ算出処理を実行することによって各アナログ信号１〜ｎに対応する補正パラメータを算出し、入力特性測定完了後（補正パラメータ算出完了後）つまり装置の実稼動時には、信号ケーブルの健全性監視処理を含んだ保護制御演算処理を実行して電力系統の保護制御を行う。そして、この信号ケーブルの健全性監視処理においては、所定の接続状態信号が、入力端子４１ｂに入力されているか否かを判定することにより、信号ケーブルの健全性を監視する。
【００２５】
以上説明したように、本実施形態によれば、装置を実稼動させる前に行われる調整作業に利用され、その後は未使用となっていた基準信号の入力端子に、信号ケーブルの健全性を表す接続状態信号を入力するようにしたので、接続状態信号を発生させるための簡単な回路以外に特別な回路を付加することなしに、入力部と制御部との間でアナログ信号を中継する信号ケーブルの健全性を常時監視できる、ディジタル保護制御装置を提供することができる。
【００２６】
＜第２実施形態＞
次に、図５を参照して、本発明の第２実施形態に係るディジタル保護制御装置について説明する。図５は、第２実施形態に係るディジタル保護制御装置が備える入力変換部の構成と信号の流れを示す機能ブロック図である。その他の構成は、前記の第１実施形態と同様であるので、重複する部分の説明は省略する。また、第１実施形態と同じ構成要素については同じ記号を付し、重複する説明を省略する。
【００２７】
図５に示すように、入力変換部２ａは、信号発生器２１と、ｎ個の絶縁トランス２２と、コネクタ２３とに加え、本発明の入力元切換手段としての切換スイッチ５を備えて構成される。この切換スイッチ５は、例えば、手動での切換操作に応じて、信号発生器２１から供給される接続状態信号と、高精度発振器１１（図３参照）から基準信号入力端子４１ｄに供給される基準信号とのいずれか一方を選択し、選択した信号をコネクタ２３の出力端子２３ｂに出力する。
【００２８】
そして、切換スイッチ５によって、入力特性測定時には、高精度発振器１１から基準信号入力端子に供給される基準信号を出力端子２３ｂに出力し、入力特性測定完了後（補正パラメータ算出完了後）つまり装置の実稼動時には、信号発生器２１から供給される接続状態信号を出力端子２３ｂに出力するようにする。
【００２９】
本実施形態によれば、入力特性測定時でも入力特性測定完了後つまり装置の実稼動時でも、信号ケーブル３を装着したままにしておくことができるので、ケーブルの着脱による端子の劣化を防ぐことができるとともに、ケーブルの装着作業のミスを減らすことができる。さらに、入力特性測定用の信号ケーブル３ａ（図３参照）を用意しなくても済む。
【００３０】
＜第３実施形態＞
次に、図６を参照して、本発明の第３実施形態に係るディジタル保護制御装置について説明する。図６は、第３実施形態に係るディジタル保護制御装置における変換コネクタによる主制御部への接続についての説明図である。
【００３１】
図６に示すように、本実施形態では、主制御部４と信号ケーブル３との間に、変換コネクタ６が装着されている。この変換コネクタ６は、その一方が信号ケーブル３が端部に有する不図示のコネクタに嵌合して信号ケーブル３に接続され、もう一方が主制御部４が備えるコネクタ４１に嵌合して主制御部４に接続される。
【００３２】
また、変換コネクタ６は、高精度発振器１１（図３参照）から基準信号を入力するための基準信号入力端子４ｄと、切換スイッチ５とを備え、この切換スイッチ５によって、主制御部４が備えるコネクタ４１の入力端子４１ｂ接続される出力端子（不図示）に、入力特性測定時には、基準信号入力端子４ｄに供給される基準信号を、また、入力特性測定完了後（補正パラメータ算出完了後）つまり装置の実稼動時には、入力端子４１ｃに伝送される接続状態信号を、それぞれ出力するようにする。
【００３３】
本実施形態によれば、入力特性測定時でも入力特性測定完了後つまり装置の実稼動時でも、実施形態２と同様に、ケーブルの着脱による端子の劣化を防ぎ、ケーブルの装着作業のミスを減らすとともに、入力特性測定用の信号ケーブル３ａ（図３参照）を用意しなくても済む。また、高精度発振器１１から供給される基準信号の伝送に、信号ケーブル３を使用しないので、その分だけ入力する基準信号の精度低下を抑えることができる。
【００３４】
＜第４実施形態＞
次に、図７を参照して、本発明の第４実施形態に係るディジタル保護制御装置について説明する。図７は、第４実施形態に係るディジタル保護制御装置が備える主制御部の構成と信号の流れを示す機能ブロック図である。
【００３５】
図７に示すように、本実施形態に係る主制御部４ａは、前記の第３実施形態（図６参照）におけるコネクタ４１と変換コネクタ６とを一体化したコネクタ４１ａを、主制御部４に備える。その動作及び効果は前記の第３実施形態と同様である。
【００３６】
＜装置全体の動作の流れ＞
最後に、図８を参照して、本発明に係るディジタル保護制御装置の動作の流れを説明する。図８は、ディジタル保護制御装置の動作の流れを示すフローチャートである。
【００３７】
まず始めに、ステップＳ１１では、装置の実稼動に先立って、各アナログ信号の入力特性を測定するための準備として、図３に示すように、高精度発振器１１から入力特性測定用の基準信号を入力変成器である主変成器１と主制御部４とにそれぞれ供給するように、必要な機器と信号線とを接続する。
【００３８】
次に、ステップＳ１２では、高精度発振器１１から実際に基準信号を供給し、主制御部４が２つの系統から入力される基準信号を取り込んで比較することにより、各アナログ信号の補正パラメータを算出する。
【００３９】
補正パラメータの算出が完了したら、続くステップＳ１３では、装置を実稼動させるために、図４に示すように、入力変成器である主変成器１を保護制御対象の電力系統に接続するとともに、入力部である入力変換部２（または２ａ）から主制御部４（または４ａ）に接続状態信号が供給されるように、信号線の接続を変更し、必要な場合には切換スイッチ５の切換操作を行う。
【００４０】
以下、ステップＳ１４〜ステップＳ１８にて、信号ケーブルの健全性を監視しつつ、所定の保護制御演算を実行して、電力系統の保護制御を行う。
【００４１】
より詳しくは、まず、ステップＳ１４にて、主制御部４（または４ａ）が、入力した信号の値が所定の範囲にあるか否かによって接続状態信号の有無を判定し、接続状態信号の検出に成功した場合は（ステップＳ１５で「Ｙｅｓ」）、ステップＳ１６に処理を進めて各アナログ信号を入力し、入力値を補正して所定の保護制御演算を実行することによってて必要な保護制御動作を行ったのち、ステップＳ１４に処理を戻して、同様の処理を繰り返す。他方、接続状態信号の検出に成功しなかった場合は（ステップＳ１５で「Ｎｏ」）、ステップＳ１７に処理を進めて警告音の鳴動や保護制御動作状態のロックなどのケーブル接続異常処理（詳細の説明は省略する。）を実行する。続いて、ステップＳ１８にて装置の停止操作が行われた場合には（ステップＳ１８で「Ｙｅｓ」）動作を終了し、そうでない場合には（ステップＳ１８で「Ｎｏ」）ステップＳ１４に処理を戻して、以上の処理を繰り返す。
【００４２】
以上にて実施形態の説明を終えるが、本発明の実施の態様はこれに限らず、本発明の趣旨を逸脱しない範囲で適宜変更可能である。例えば、補正パラメータを算出するための調整作業は、装置の稼動前に限らず、装置稼動後の定期点検などにおいても適宜実施するようにしてもよい。また、高精度発振器から出力する基準信号を精密アンプを介して主変成器に供給するのではなく、直接入力変換部に供給することにより、入力変換部より下流の伝送経路の補正パラメータだけを算出するようにしてもよい。
【符号の説明】
【００４３】
Ｓ    ディジタル保護制御装置
１    主変成器（入力変成器）
１１  高精度発振器（基準信号供給部）
１２  精密アンプ
２，２ａ  入力変換部（入力部）
２１  信号発生器
２２  絶縁トランス
２３  コネクタ
２３ａ，２３ｂ  出力端子
３，３ａ  信号ケーブル
４，４ａ  主制御部（制御部）
４１  コネクタ
４１ａ  アナログ信号入力端子
４１ｂ  基準信号／接続状態信号入力端子
４１ｃ  接続状態信号入力端子
４１ｄ  基準信号入力端子
４２  フィルタ
４３  マルチプレクサ
４４  Ａ／Ｄ変換器
４５  ＣＰＵ
５    切換スイッチ（入力元切換手段）
６    変換コネクタ
【図１】
2011130632.tif 000003
【図２】
2011130632.tif 000004
【図３】
2011130632.tif 000005
【図４】
2011130632.tif 000006
【図５】
2011130632.tif 000007
【図６】
2011130632.tif 000008
【図７】
2011130632.tif 000009
【図８】
2011130632.tif 000010